(57)【要約】【課題】  パチンコ台の性能を簡易に評価することができ、その評価結果を釘姿勢の調整に有効に役立てることのできる出玉管理装置を提供する。【解決手段】  パチンコ台のガラス面に吸着される吸盤２５により支持されて上記ガラス面を介して前記パチンコ台のセル盤面における所定の部位に対峙させて取り付けられ、該セル盤面の上記部位におけるパチンコ玉の通過をそれぞれ検出する複数の光電センサユニット２０と、これらの各光電センサユニットによりそれぞれ検出された通過玉数を個別に集計して前記パチンコ台の性能を評価する集計部（コンピュータ１４）、およびその評価結果を表示する表示器１１を備えた管理装置本体１０とを備える。【選択図】      図１
2005111064.tif 000002
【特許請求の範囲】
【請求項１】
パチンコ台のガラス面に吸着される吸盤により支持されて上記ガラス面を介して前記パチンコ台のセル盤面における所定の部位に対峙させて取り付けられ、該セル盤面の上記部位におけるパチンコ玉の通過をそれぞれ検出する複数の光電センサユニットと、
これらの各光電センサユニットによりそれぞれ検出された通過玉数を個別に集計して前記パチンコ台の性能を評価する集計部、およびその評価結果を表示する表示器を備えた管理装置本体と
を具備したことを特徴とする出玉管理装置。
【請求項２】
前記集計部は、所定の計測時間に亘って前記セル盤の所定の部位をそれぞれ通過するパチンコ玉数を個別に計数するものである請求項１に記載の出玉管理装置。
【発明の詳細な説明】
【技術分野】
【０００１】
本発明は、パチンコ台の性能を簡易に評価することのできるパチンコ台の出玉管理装置に関する。
【背景技術】
【０００２】
パチンコ台は、障害物としての複数の釘とターゲットである所定数のポケット（穴）とを設けたセル盤上にパチンコ玉を打ち出して上記ポケットに落とし込み、これによって所定数のパチンコ玉の払い出しを受ける遊技機であり、幅広く広く普及している。この種のパチンコ台における釘の打ち込み姿勢はパチンコ台の性能（出玉率や大当たりの回数等）を左右する大きな要因であり、所定の性能が維持されるように調整される。ちなみにパチンコ台の性能（出玉に関する仕様等）は、予め国家公安委員会の指定機関である「財団法人保安電子通信技術協会」の型式認定を受けて設定されている。しかし硬球であるパチンコ玉との衝突によって釘の打ち込み姿勢が次第に変化することが否めず、これを調整して初期性能を維持することが重要である。
【０００３】
そこで釘姿勢を調整する為の補助具として、釘間の間隔を測定する装置（例えば特許文献１を参照）や、釘の打ち込み角度の調整に用いるに好適な角度ゲージ（例えば特許文献２を参照）が提唱されている。また複数台のパチンコ台を設置した遊技場（パチンコホール）においては、専用のコンピュータを用いて各パチンコ台おける出玉数や大当たりの回数等のデータを収集し、その出玉率を管理することも提唱されている（例えば特許文献３を参照）。
【特許文献１】特開平７−１９４７７９号公報
【特許文献２】実用新案登録第３０８８５５０号公報
【特許文献３】特開平８−２０６３２８号公報
【発明の開示】
【発明が解決しようとする課題】
【０００４】
しかしながら特許文献１,２にそれぞれ示されるような補助具を用いてパチンコ台における釘の打ち込み姿勢を個々に調整しても、その調整によってパチンコ台が所定の性能を発揮し得るように設定されたか否かを確認することが困難である。例えばその確認を行うには、前述した特許文献３に示されるようなコンピュータを用いて個々のパチンコ台の出玉数や大当たりの回数等のデータを収集し、これを解析することが必要である。これ故、調整現場において即時的にパチンコ台の性能を評価し、その評価結果を踏まえて釘姿勢を調整することができず、専ら調整作業者の経験と勘に委ねられているのが実情である。
【０００５】
本発明はこのような事情を考慮してなされたもので、その目的とするところは、釘姿勢の調整現場であるパチンコ台においてその性能を簡易に評価することができ、その評価結果を釘姿勢の調整に有効に役立てることのできるパチンコ台の出玉管理装置を提供することにある。
【課題を解決するための手段】
【０００６】
上述した目的を達成するべく本発明に係るパチンコ台の出玉管理装置は、
(ａ)  パチンコ台のガラス面に吸着される吸盤により支持されて上記ガラス面を介して前記パチンコ台のセル盤面における所定の部位に対峙させて取り付けられ、該セル盤面の上記部位におけるパチンコ玉の通過をそれぞれ検出する複数の光電センサユニットと、
(ｂ)  これらの各光電センサユニットによりそれぞれ検出された通過玉数を個別に集計して前記パチンコ台の性能を評価する集計部、およびその評価結果を表示する表示器を備えた管理装置本体とを備えて構成される。
【０００７】
ちなみに前記管理装置本体は、例えばコンピュータ（ＣＰＵ）を主体として構成され、その筐体表面に表示器と操作スイッチ部とを設けた、いわゆるポケットタイプの可搬型（携帯型）のものであって、前記集計部は、所定の計測時間に亘って前記セル盤の所定の部位をそれぞれ通過するパチンコ玉数を個別に計数するように構成される。
【発明の効果】
【０００８】
上述した如く構成された出玉管理装置によれば、吸盤を用いて複数の光電センサユニットをパチンコ台のガラス面に吸着し、これらの各光電センサユニットをパチンコ台におけるセル盤の所定の部位にそれぞれ対峙させるだけで、上記セル盤の各部位を通過するパチンコ玉を光電センサユニットによりそれぞれ検出することができる。従って光電センサユニットを、例えばパチンコ玉の打ち出し部位に対峙させて装着すれば、所定時間内に打ち出されるパチンコ玉の総数を計数することができ、またポケットに対峙させて光電センサユニットを装着すれば、そのポケットに落とし込まれるパチンコ玉の数を計数することが可能となる。
【０００９】
従って釘の姿勢を調整したパチンコ台において、そのガラス面に前述した光電センサユニットを取り付け、いわゆる試し打ちを行うことでパチンコ玉の打ち出し数や、パチンコ玉がポケットに落とし込まれたヒット数等を、その作業現場において、つまりパチンコ台の目前で容易に確認し、評価することが可能となり、その評価結果に従って釘の姿勢を再調整することも可能となる。故にその作業効率の大幅な向上を図ることが可能となる。また出玉数やヒット数等を直接的に表示することができるので、その設定状態（釘姿勢の調整状態）の把握を容易に行い得る等の利点もある。
【発明を実施するための最良の形態】
【００１０】
以下、図面を参照して本発明の一実施形態に係るパチンコ台の出玉管理装置について説明する。
この出玉管理装置は、例えば図１にその全体的な外観形状を示すように、ハンディターミナルとしての箱形の管理装置本体１０と、この管理装置本体１０に接続される光電センサユニット２０とにより構成される。管理装置本体１０は、その前面に液晶等の表示器１１と、複数の押し釦スイッチ１２からなる操作部１３とを備えたもので、またその上端部には、複数個（例えば６個）の光電センサユニット２０を接続する為の後述するコネクタが設けられている。
【００１１】
具体的には管理装置本体１０は、例えば図２に示すようにコンピュータ１４を主体として構成され、そのコネクタ１５に接続される６個の光電センサユニット２０ａ,２０ｂ,〜２０ｆによりそれぞれ検出される信号をコンピュータ（ＣＰＵ）１４に取り込んでその信号数を個別に計数すると共に、その計数結果を解析するように構成されている。即ち、コンピュータ１４は、予め構築されたプログラムにより前記各光電センサユニット２０ａ,２０ｂ,〜２０ｆによりそれぞれ検出された信号（玉数）を計数するカウンタ機能１４ａや、時間を計測するタイマ機能１４ｂ等を実現したもので、制御部１４ｃの制御の下でカウンタ機能１４ａにより計数されたデータ（パチンコ玉の通過数）をメモリ１４ｄに記憶したり、更には演算部１４ｅを用いて後述する出玉率等を演算するものとなっている。尚、図中１４ｄは、バッテリをエネルギ源とする電源部である。
【００１２】
一方、上述した管理装置本体１０に接続される光電センサユニット２０は、例えば図３にその概略構成を示すように、箱形の筐体２１に投光器および受光器からなる反射形光電センサ２２とその駆動回路を内蔵したもので、筐体２１の下面に設けた窓部２３を介して光を照射し、その反射光の受光レベルを判定することで、物体の存在を検出する如く構成される。特に筐体２１は、その一端部に設けた軸部２４を吸盤２５の軸２６に嵌め込むことで該吸盤２５に支持されており、吸盤２５を所定の板面に吸着させたときこの板面に向けて上記光を照射するように設けられている。
【００１３】
具体的には、パチンコ台のセル盤を覆って設けられたガラス板に吸盤２５を吸着させて光電センサユニット２０をそのガラス面に取り付けたとき、前記光電センサ２２はガラス板を介してセル盤に向けて光を照射し、その照射部位からの反射光を受光するようになっている。そして常時はセル盤にて反射された弱い反射光を受光し、光沢のあるパチンコ玉が上記光の照射部位を通過したとき、パチンコ玉によって光が強く反射されることから、その強い反射光が検出される状態をパチンコ玉が通過したとして検出するものとなっている。
【００１４】
かくしてこのような複数の光電センサユニット２０を備えて構成される出玉管理装置によれば、例えば図４に例示するように複数の光電センサユニット２０をパチンコ台３０のセル盤を覆うガラス板に貼着し、パチンコ台３０にて試し打ちを行えば、光電センサユニット２０を設けた部位の下面をパチンコ玉が通過する都度、その通過玉数が順次計数されることになる。従ってセル盤におけるパチンコ玉の打ち出し部位やポケットに対峙させて光電センサユニット２０をそれぞれ装着しておけば、その部位におけるパチンコ玉の通過数を計数することができるので、例えば１分間当たりの打ち出し総玉数（アウト数）や、ポケットに落とし込まれた玉数（ヒット数）をそれぞれ容易に求めることが可能となる。また特定のポケットに着目すれば、大当たりの回数も容易に求めることが可能となる。また打ち出し総玉数とヒット数とからその出玉率を計算することも可能となる。そしてこれらの集計データや演算によって求められたデータを前記表示器１１に表示すれば、パチンコ台３０の試し打ちを行いながら該パチンコ台３０の性能を評価することが可能となり、その評価結果に基づいて釘姿勢を再調整することも可能となる。
【００１５】
尚、前述した管理装置本体１０の操作部１３には、例えば計測を開始する開始スイッチ１２ａ、計測データをリセットするリセットスイッチ１２ｂのみならず、前記表示器１１に表示するデータを選択指定するカーソルスイッチ１２ｃ,１２ｄと、選択した表示モードを確定する選択スイッチ１２ｅが設けられている。そしてこの出玉管理装置を使用するに際しては、先ずリセットスイッチ１２ｂを操作して前述したカウンタ１４ａやメモリ１４ｄを初期化し、その後、開始スイッチ１２ａを操作して計測動作を開始させる。
【００１６】
この状態においてパチンコ台３０における試し打ちを開始すれば、パチンコ台３０のガラス面に取り付けた複数の光電センサユニット２０により、それぞれの取り付け位置におけるパチンコ玉の通過が検出され、その通過玉数が前記カウンタ１４ａにて個別に計数される。この際、前記タイマ１４ｄによって計時される所定の時間に亘る通過玉数を求めれば、これによって所定時間当たり打ち出し総玉数（玉の発射数）とヒット数とをそれぞれ求めることができ、また前述したように出玉率を計算することも可能となる。しかる後、前述したカーソルスイッチ１２ｃ,１２ｄおよび選択スイッチ１２ｅを用いて前記表示器１１に表示すべくデータの種別を選択指定することにより、その指定されたデータを表示してパチンコ台３０の性能を容易に評価することが可能となる。
【００１７】
特に上述した如く構成された出玉管理装置によれば、セル盤の所定の部位を通過するパチンコ玉を検出するための光電センサユニット２０を、セル盤を覆うガラス板に吸盤２５を用いて貼り付けるだけで良いので、その設置が容易である。しかもパチンコ台３０の型式（種別）に拘わることなく、つまりセル盤のデザイン（レイアウト）に拘わることなくその要となる部位に光電センサユニット２０を設置することができるので、所望とする部位（管理対象部位）におけるパチンコ玉の通過を確実に検出することができる。
【００１８】
しかも出玉管理装置をパチンコ台３０の動作制御を司る電気回路部やそのインターフェース部に電気的に接続することなく、セル盤を覆うガラス面に取り付けた光電センサユニット２０を介してパチンコ台３０の性能をその場で簡単に評価することができる。従って特許文献３に示されるように専用のコンピュータを用いることなく、遊技場におけるパチンコ台３０のメンテナンス要員だけで、パチンコ台３０の性能管理とその調整を容易に実行することが可能となる。
【００１９】
尚、本発明は上述した実施形態に限定されるものではない。例えば複数の光電センサユニット２０の１つを、予め打ち出し総玉数（玉の発射数）の計測用として定めておくようにしても良い。また光電センサユニット２０の装着位置についてはセル盤のポケット位置に限定されるものではなく、ワープや風車周り、天釘位置等であっても良い。このような部位に光電センサユニット２０を装着すれば、パチンコ玉の流れの向きを評価することも可能となり、ひいてはアタッカー方向に流れる玉数をチェックすることも可能となる。更には単位時間内での玉の発射数からハンドルモータの好不調をチェックすることも可能となる。
【００２０】
またここでは６個の光電センサユニット２０を接続可能な管理装置本体１０について例示したが、その数は特に限定されるものではなく、更に多くの光電センサユニット２０を取り付け可能に構成することもできる。また光電センサ２２の具体的な構成については、一般的には発光ダイオードとフォトトランジスタとを組み合わせたものが代表的ではあるが、その他のものを用いることも勿論可能である。更には測定結果をプリントアウトしたり、管理用コンピュータに転送可能に構成しても良いことは言うまでもない。その他、本発明はその要旨を逸脱しない範囲で種々変形して実施することができる。
【図面の簡単な説明】
【００２１】
【図１】本発明の一実施形態に係る出玉管理装置の全体的な外観形状を示す図。
【図２】図１に示す出玉管理装置の概略的な全体構成図。
【図３】図１に示す出玉管理装置で用いられる光電センサユニットの概略構成を示す断面図。
【図４】出玉管理装置の使用形態を示す図。
【符号の説明】
【００２２】
１０  管理装置本体
１１  表示器
１２  押し釦スイッチ
１３  操作部
１４  コンピュータ（ＣＰＵ）
２０  光電センサユニット
２２  反射形光電センサ
２５  吸盤
３０  パチンコ台
【図１】
2005111064.tif 000003
【図２】
2005111064.tif 000004
【図３】
2005111064.tif 000005
【図４】
2005111064.tif 000006